(57)【要約】【課題】個人情報の認定認証をより客観的なものとするために、コンピュータにより認定認証結果を作成することを目的とする。【解決手段】コンピュータを、調査される個人から得られた認定情報を入力する認定情報入力手段と、この認定情報に基づいた現地踏査によりその真偽や正確さを確認した認証情報を入力する認定情報入力手段と、これらの入力された認定情報および認証情報を規定の基準と比較する比較手段と、この比較結果に基づいて採点を行う採点手段と、この採点手段による採点に基づいて得られる認定認証情報を報告書として出力する報告書作成手段として機能させる。【選択図】図１
2009015601.tif 000002
【特許請求の範囲】
【請求項１】
コンピュータを、
調査される個人から得られた認定情報を入力する認定情報入力手段と、
この認定情報に基づいた現地踏査により確認した認証情報を入力する認証情報入力手段と、
これらの入力された認定情報、認証情報又は規定の基準を相互に比較する比較手段と、
この比較結果に基づいて採点を行う採点手段と、
この採点手段による採点に基づいて得られた認定認証情報を報告書として出力する報告書作成手段として機能させることを特徴とする個人情報の認定認証プログラム。
【請求項２】
認定情報は、電話や面接で得られた第三者の印象情報と、調査される個人からの申告情報からなることを特徴とする請求項１記載の個人情報の認定認証プログラム。
【請求項３】
採点は１００点満点とし、認証情報の配分を５０点、認定情報の配分を５０点とし、さらに認定情報５０点は印象情報の配分を２５点とし、申告情報の配分を２５点とすることを特徴とする請求項２記載の個人情報の認定認証プログラム
【請求項４】
認定情報の採点は、認証情報との相違があった場合に、その相違があった項目について減点することを特徴とする請求項１、２または３記載の個人情報の認定認証プログラム。
【請求項５】
認定認証情報を報告書として提示された企業からの要請に従って、その内容の確認・証明を行う証明手段を有することを特徴とする請求項１、２、３または４記載の個人情報の認定認証プログラム。
【請求項６】
コンピュータに請求項１乃至５のいずれか記載の機能を実現するための個人情報の認定認証プログラムを記憶した記憶媒体。
【発明の詳細な説明】
【技術分野】
【０００１】
本発明は、個人情報保護法の施行に伴う個人情報の認定認証プログラムおよびこの個人情報の認定認証プログラムを記憶した記憶媒体に関するものである。
【背景技術】
【０００２】
個人情報保護法の施行に伴い、探偵や興信所といった業務（調査業）についても法律による規制が始まり、特定の条件が整わない限り本人の承諾なしには個人に関する調査を行うことができなくなってきている。
【０００３】
【特許文献１】特開２００１−６７３２３号公報。
【発明の開示】
【発明が解決しようとする課題】
【０００４】
つまり、従来は、雇用や結婚に際して、雇用主（企業）の募集に応じた応募者や結婚相手の身上について、探偵や興信所に依頼して調査することができたが、現在では、その対象の個人がどのような人物なのか、本人の申告以外に知る手立てが閉ざされ、悪意をもった者の嘘の申告や経歴の詐称、問題ある過去の経歴を隠すことなどが横行しかねないという状況になっている。これに対応して、個人に対する調査のありかたや調査の方法を整備することが必要となってきている。
また、身上調査においては、調査員の主観による印象が入り込む余地が多く残され、調査員次第で良くも悪くもなってしまう可能性が残されているという問題点があった。
【０００５】
本発明は、以上のような問題点を解決するためになされたもので、応募者本人の積極的な調査の依頼に対して、第三者機関（調査業者）がその応募者の申告とともにそれを裏付ける踏査を行い、その調査結果を個人情報として認定認証する形態をとり、その個人情報の認定認証をより客観的なものとするために、コンピュータにより認定認証結果を作成することを目的とするものである。
例えば、雇用主（以下、企業と呼ぶ）の募集に際して、従来のような身上や身辺について調査を行うことについて、企業が直接に応募者から承諾を取ることはできない。しかし、採用される可能性を高めるために、応募者自らがそのような調査を中立の第三者に依頼してその結果を会社に提出することはなんら問題ない。また、募集をする企業の側としては、そのような調査結果を提出することを強要することはできないが、提出することで採用しやすくなるという程度のことを示唆することは問題がない。
【課題を解決するための手段】
【０００６】
本発明による個人情報の認定認証プログラムは、コンピュータを、調査される個人から得られた認定情報を入力する認定情報入力手段と、この認定情報に基づいた現地踏査によりその真偽や正確さを確認した認証情報を入力する認証情報入力手段と、これらの入力された認定情報および認証情報を規定の基準と比較する比較手段と、この比較結果に基づいて採点を行う採点手段と、この採点手段による採点に基づいて認定認証情報を報告書として文章化して出力する報告書作成手段として機能させるものである。
【発明の効果】
【０００７】
前記認定情報と認証情報を各入力手段により入力し、あらかじめ定められた基準に従って採点を行い、この採点に基づいて得られた認定認証情報を報告書として作成することにより、従来のような調査員の主観や偏見に左右され難い常に一定の調査結果を出すことができる。
【発明を実施するための最良の形態】
【０００８】
コンピュータを、電話や面接で得られた第三者の印象情報と、調査される個人からの申告情報からなる調査される個人から得られた認定情報を入力する認定情報入力手段と、この認定情報に基づいた現地踏査によりその真偽や正確さを確認した認証情報を入力する認定情報入力手段と、これらの入力された認定情報および認証情報を規定の基準と比較する比較手段と、この比較結果に基づいて採点を行う採点手段と、この採点手段による採点に基づいて得られた認定認証情報を報告書として文章化して出力する報告書作成手段として機能させ、出力された報告書を提示された企業からの要請に従って、その報告書が調査機関から発行されたものであることの証明を行う。
【実施例】
【０００９】
以下、本発明の実施例を説明する。
まず、最初に本発明の個人情報の認定認証の前提となる個人情報の認定認証の全体の概要について説明する。
以下の説明では、認定情報とは、電話や面接により本人から得られた情報であり、第三者の印象情報と本人からの申告情報がある。認証情報とは、前記認定情報に基づいて現地踏査を行うことによって得られた情報である。認定認証情報とは、前記認定情報と認証情報から作成された調査結果を言うものとする。
現在、調査業に関する法律により、個人の情報に関しては、特定の条件が整わなければ、第三者が無断で調査をすることを禁じられているが、本人の承諾のある調査については認められている。つまり、雇用に関して応募者自ら身上調査を第三者に依頼してその調査結果を応募する企業に提出することは認められている。企業が雇用されようとする応募者について調査するのではなく、応募者自身が自分の身辺や能力について、積極的に第三者機関に証明してもらうという形態をとることで、前述のような問題点を排除するとともに、より有用な調査が可能となる。
【００１０】
具体的には、図２に示すように、例えば就職活動をしようとする応募者が、中立な第三者の調査機関に対して自分の身上についての証明（調査）してもらうことを要請し、これに対応して調査機関が本人の申告とともに、その申告に虚偽がないかを含めての身辺の調査(実地踏査)を行い、これらの総合的な調査結果を報告書として認定認証(証明)するものである。認定認証結果（報告書）は、容易には改変できないような形態、例えば封緘を印した封筒などに封入して発行されるが、内容については希望により本人にも開示される。
発行された認定認証結果は、基本的には応募者本人が就職を希望する企業に持参して提示する。認定認証結果を提示された企業は、持参された認定認証結果を前記調査機関に照会することができる。調査機関は、企業からの認定認証結果の照会要請に対して、その内容を企業に対して確認・証明する。
【００１１】
つぎに、この調査の方法ついて、さらに具体的に詳しく説明する。
この調査は、［１］電話調査、［２］面談調査、［３］筆記調査、［４］実地踏査の４段階からなり、さらにこれらの調査結果を総合して認定認証情報として報告書を作成する。
【００１２】
[１]電話調査（１０点満点）
応募者は、調査機関に対して個人情報認定認証の要請（申し込み）があると、最初に電話による調査がなされる。この電話調査は、表向きは後の面接調査や筆記調査の打ち合わせ的な内容であり、調査機関の担当者は、氏名、生年月日、住所、連絡先などの聞き取りとともに、面接試験に関する事項について説明や交渉をするが、下記のような応募者の電話の応対状況をチェックし、これらの事項について採点が行われ、応答態度等により０〜１０点の採点がなされる。
【００１３】
Ａ．説明事項
試験会場までの道順、試験日時、必用筆記用具、履歴書、印鑑、取引銀行口座番号、試験費用、キャンセル時の費用などの説明が行われる。
Ｂ．確認事項
氏名、生年月日、年齢、住所、電話番号、携帯電話番号などの聞き取りが行われる。
これらのＡ、Ｂの内容については直接的な採点はされない。電話での対応状況が採点の対象となり、次のようなことがチェックされる。以下、末尾の括弧〔  〕内の数字は点数を示す。
【００１４】
Ｃ．電話対応状況
（１）電話の回数
[１]初電話で電話調査完了
ａ  計画的で手際が良く時間の使い方が上手〔１〕
ｂ  手際が良く時間の使い方が上手〔０．７５〕
【００１５】
{２}再電話で電話調査完了
ｃ  慎重で能力は秀でていない〔０．５〕
{３}再々電話以降で電話調査完了
ｄ  手際が悪い〔０．２５〕
ｅ  計画性がなく手際が悪く時間の無駄が多い〔０〕
【００１６】
（２）話し方（喋り方）
ａ  優しい、暖かく親しみを感じる〔１〕
ｂ  親しみを感じる〔０．７５〕
ｃ  聞きやすい〔０．５〕
ｄ  ややきつい〔０．２５〕
ｅ  きつい〔０〕
これらの他、話し方について「流暢」、「言い直しが多い」、「遅い」、「若く爽やか」、「歳相応」、「老けている」などがチェックされる。
【００１７】
（３）語尾（活舌）
ａ  鮮明、歯切れが良く聞き取り易い〔１〕
ｂ  聞き取り易い〔０．７５〕
ｃ  普通に理解できる〔０．５〕
ｄ  やや聞き取りにくい〔０．２５〕
ｅ  濁る、歯切れが悪く聞き取りにくい〔０〕
これらの他、「高音気味」、「低音気味太く声量がある」、「細く声量がない」などがチェックされる。
【００１８】
（４）語力
ａ  勢いがあり力強い、元気があり健康的である〔１〕
ｂ  勢いがある、健康的である〔０．７５〕
ｃ  力強さは感じない覇気が窺えない〔０．５〕
ｄ  勢いがない覇気に乏しい〔０．２５〕
ｅ  脆弱、覇気がない〔０〕
【００１９】
（５）訛りのある、なし（直接の採点対象ではない）
（６）言葉使い
ａ  常識的、丁寧で感じが良く品がある〔１〕
ｂ  感じが良く品がある〔０．７５〕
ｃ  不快感はない〔０．５〕
ｄ  やや高慢で感じが悪い〔０．２５〕
ｅ  非常識、高慢粗野で感じが悪い〔０〕
【００２０】
（７）メモの準備
ａ  していた、気配りが良く事務経験がある〔１〕
ｂ  事務経験がある〔０．７５〕
ｃ  途中からした、気配りは出来る〔０．５〕
ｄ  気配りが出来ない〔０．２５〕
ｅ  していない、真面目さがなく事務経験もなく〔０〕
【００２１】
（８）同じ質問の有無
ａ  なし、記憶力がよく本質を理解できる〔１〕
ｂ  １回あり、記憶力が良い〔０．７５〕
ｃ  ２回あり、理解する努力はしている〔０．５〕
ｄ  ３回あり、理解力に乏しい〔０．２５〕
ｅ  ４回あり、記憶力が悪く本質を理解できない〔０〕
【００２２】
（９）理解の速度
ａ  速い、頭の回転が速い〔１〕
ｂ  やや早い、回転は良い〔０．７５〕
ｃ  普通、回転は悪くない〔０．５〕
ｄ  やや遅い、回転が鈍い〔０．２５〕
ｅ遅い、回転が悪い〔０〕
【００２３】
（１０）復唱
ａ  全部ある、慎重さがあり正確〔１〕
ｂ  半分以上ある、正確さがある〔０．７５〕
ｃ  住所電話番号のみ、慎重な面はある〔０．５〕
ｄ  殆どない、正確さがない〔０．２５〕
ｅ  なし、慎重さに欠ける〔０〕
【００２４】
（１１）全体の印象
ａ  誠実で落着きがある〔１〕
ｂ  几帳面〔０．７５〕
ｃ  真面目さはある〔０．５〕
ｄ不真面目〔０．２５〕
ｅ  調子者でルーズ〔０〕
【００２５】
この電話調査の結果、第１段階として、例えば次のような評価がなされる。
「誠実で計画性があり手際が良く時間の使い方が上手。会話も優しく流暢で聞き取り易く言葉遣いも常識的かつ丁寧である。事務能力も高くメモの準備もしており同じ質問もなく、理解が速い。１０点。」
「真面目さはある  慎重で能力は秀でていない  聞きやすい  普通に理解できる  力強さは感じない  不快感はない  気配りは出来る  理解する努力はしている  回転は悪くない  慎重な面はある。５点。」
【００２６】
[２]面接調査（１５点満点）
次に電話調査での打ち合わせや交渉結果に従って面接調査が行われる。この面接調査は、調査機関の指定した場所で行われ、面談により下記のような応対状況をチェックし、これらの事項について採点が行われ、応答態度等により０〜１５点の採点がなされる。
【００２７】
（１）服装
ａ  背広、立場をわきまえ意欲がうかがえる〔１〕
ｂ  新調、意欲がある〔０．７５〕
ｃ  地味、控えめ〔０．５〕
ｄ  普段着、飾り気もなく〔０．２５〕
ｅ  古い、意欲がない〔０〕
ｆ  派手、自己顕示欲旺盛、目立ちたがり屋〔０〕
これらの他、「帽子の着用」、衣服の種類（男性については、「スーツ（新調）」、「スーツ（くたびれ気味）」、「普段着」、「派手な場違いな服装」、女性については、「リクルートスーツ」、「アンサンブル」、「普段着」、「派手な場違いな服装」）などがチェックされる。
【００２８】
（２）センス
ａ  良い、調和している〔１〕
ｂ  比較良い〔０．７５〕
ｃ  普通〔０．５〕
ｄ  やや劣る〔０．２５〕
ｅ  悪い〔０〕
これらの他、「履物の種類」などがチェックされる。
【００２９】
（３）髪
ａ  綺麗、凛々しく清潔感がある〔１〕
ｂ  整髪、凛々しい〔０．７５〕
ｃ  普通、調和して難はない〔０．５〕
ｄ  不精、むさい〔０．２５〕
ｅ  汚い、不潔である〔０〕
これらの他、「長さ」、「髪色」、「整髪料の使用」などがチェックされる。
【００３０】
（４）容姿等（直接の採点対象ではない）
ａ  顔：長方形、卵形、正方形、ベース型、三角型、小顔、大顔
ｂ  化粧：濃い、薄い、していない
ｃ  眉：太い、細い、修正
ｄ  肌：色黒、色白、鮫肌、つや良、つや悪
ｅ  目：大きい、小さい、細い、どんぐり眼、キツイ、優しい、きつね目、斜視、三白眼
ｆ  視力：裸眼、眼鏡使用、コンタクト使用
ｇ  鼻：大きい、小さい、高い、低い、団子鼻、段鼻
ｈ  口：大きい、小さい、釣上り、吊下り
ｉ  唇：厚い（上  下  上下共）、薄い（上  下  上下共）
ｊ  歯並び：良い、悪い、出っ歯、入れ歯
ｋ  耳：大きい、小さい、確認不能
ｌ  全体バランス：憂、良、可、不可
【００３１】
（５）歩行癖の有無（大股、小股、がに股、Ｘ脚、内股）（直接の採点対象ではない）
（６）体形（身長、体重（太目、中肉、痩身）、外見的特長の有無とその特徴）
ａ  均整の取れたスポーツマンタイプ〔１〕
ｂ  ガッチリした肉体労働者タイプ〔０．７５〕
ｃ  中肉〔０．５〕
ｄ  やや肥満、やせ細った病弱タイプ〔０．２５〕
ｅ  運動に関係ない中年太りタイプ、激痩せタイプ〔０〕
【００３２】
（７）外見的健康状態
ａ  良好、顔色も良く艶もあり健康的〔１〕
ｂ  やや良い、顔色も良く健康的〔０．７５〕
ｃ  普通、支障は窺えない〔０．５〕
ｄ  やや悪い、顔色が悪く不健康な印象〔０．２５〕
ｅ  不調、不健康〔０〕
【００３３】
（８）挨拶
形体
ａ  形が美しい〔１〕
ｂ  形が整っていない〔０．５〕
ｃ  形も出来ない〔０〕
発声
ａ  はっきり声を出す〔１〕
ｂ  声が小さい〔０．５〕
ｃ  声が出ない〔０〕
愛想
ａ  笑顔で出来る〔１〕
ｂ  無愛想だが挨拶はする〔０．５〕
ｃ  挨拶を知らない〔０〕
【００３４】
（９）到着時間
ａ  ５分前、計画的で時間観念も強く相手の立場を熟慮している〔１〕
ｂ  １０分前、時間的観念が旺盛〔０．７５〕
ｃ  直前、物事に余裕がない〔０．５〕
ｄ  ３０分前、相手の都合を考えない〔０．２５〕
ｅ  時間オーバー、ルーズ〔０〕
ｆ  １時間前、計画性に欠け時間観念が希薄で相手の都合を考えない〔０〕
【００３５】
（１０）身分証明書の提示
ａ  運転免許証、常識的〔１〕
ｂ  保険証・履歴書・パスポート、一般的〔０．５〕
ｃ  なし、規律を守らず非常識〔０〕
【００３６】
（１１）受講態度（約３０分説明時）
姿勢
ａ  背筋が伸び身体が安定している、真面目に取り組んでいる〔１〕
ｂ  姿勢が悪く身体を動かす癖がある、だらしがない〔０〕
態度
ａ  真剣みがある、注意力旺盛〔１〕
ｂ  真剣みがない、集中力に欠ける〔０〕
視線
ａ  目線が安定している、落着きがある〔１〕
ｂ  目線が無関係な所にある、対人関係に自信がない〔０〕
これらの他、全体的な様子をチェックする。
【００３７】
（１２）手先
ａ  爪が手入れされている、きれい好きで几帳面〔１〕
ｂ  短く切られている、几帳面な面もある〔０．５〕
ｃ  爪が伸びて爪垢がある、小指等が欠損、怠惰で不衛生〔０〕
これらの他、指の太さや手と顔色のちがいなどをチェックする。
【００３８】
（１３）自身写真撮影及び証明書写真撮影の許可
ａ  双方とも同意、正直な善人〔１〕
ｂ  片方同意、正直だが警戒心は旺盛〔０．５〕
ｃ  拒否、警戒心旺盛で猜疑心も強い〔０〕
【００３９】
（１４）参考事項（直接の採点対象ではない）
所持品
ａ  必要筆記用具
ｂ  履歴書・身分証明書
ｃ  査定費用
ｄ  本人名義口座番号
【００４０】
この面接調査の結果、第２段階として、例えば次のような評価がなされる。
「正直な善人で立場をわきまえ意欲がうかがえる。機微に通じ清潔感があり、凛々しく健康状態も良好である。挨拶も笑顔で出来計画的で時間観念も強く相手の立場を熟慮しており常識的で、何事にも真面目に取り組み注意力旺盛で落ち着きがある。１５点満点」
「正直だが警戒心は旺盛である。飾り気もなく目立たず難なく調和しており健康体である。形が整っておらず声も小さく無愛想だが挨拶はしている。物事に余裕がなく一般的な印象であるが外見的には泰然としており特にかまわず几帳面な面もある。７．５点」
「警戒心が旺盛で猜疑心も強いが自己顕示欲旺盛で目立ちたがり屋で調和に欠ける。体調も不良で顔色も悪く不潔であり、むさい印象も強く、挨拶も知らず形も出来ず、声も出ない。ルーズで規律を守らないだらしがない人物であり集中力に欠け、小指が欠損している等、怠惰で不衛生な面もある。０点」
【００４１】
［３］筆記調査（２５点満点）
筆記調査は、次のような事項について筆記により本人の申告を受ける。
筆記調査では、単に設問に対する回答を採点するだけでなく、文字の態様や情報の正確さ、記憶の正確さもチェックする。
【００４２】
（１）文字
ａ  丁寧で判りやすい〔１〕
ｂ  判りやすい〔０．７５〕
ｃ判る〔０．５〕
ｄ  判りにくい〔０．２５〕
ｅ  乱筆で判りにくい〔０〕
これらの他、綺麗さ（品がある、達筆）、判り易さ(明快)、癖(個性的)、正確性(素直さ)などがチェックされる。
【００４３】
（２）記入西暦年月日時分
ａ  正確、几帳面で注意力がある〔１〕
ｂ  分違い、注意力はある〔０．７５〕
ｃ  年号又は分未記入・２字違い、注意力が足りない〔０．５〕
ｄ  ３字違い、注意力がない〔０．２５〕
ｅ  ４字以上違い、注意力がない〔０〕
【００４４】
（３）書誌的事項
受験番号、氏名、生年月日、住所（直接の採点対象ではない）
本籍地
ａ  正確〔１〕
ｂ  一文字の間違い〔０．７５〕
住民票登録地
ａ  記憶能力が高い〔１〕
ｂ  記憶力はやや高い、１字違い〔０．７５〕
ｃ  記憶力はある、２字違い〔０．５〕
ｄ  記憶力はやや低い、３字違い〔０．２５〕
ｅ  記憶力が低い、４字以上違い〔０〕
【００４５】
（４）具体的な設問
問１．住居に関する事項
＜Ａ＞最寄り駅およびバス利用時の路線と停留所の記入と案内図の作成をする。
方向感覚
ａ  方向感覚が的確〔１〕
ｂ  方向感覚は正常〔０．７５〕
ｃ  方向感覚はある〔０．５〕
ｄ  方向感覚がややずれている〔０．２５〕
ｅ  方向音痴である〔０〕
【００４６】
創造性
ａ  創造性が優れている〔１〕
ｂ  創造性がある〔０．７５〕
ｃ  創造性は人並み〔０．５〕
ｄ  創造性が乏しい〔０．２５〕
ｅ  創造性に欠ける〔０〕
【００４７】
図完成度
ａ  総合的把握能力に優れる〔２〕
ｂ  把握能力はある〔０．５〕
ｃ  把握能力は一般的〔１〕
ｄ  把握能力に乏しい〔０．５〕
ｅ  総合的把握能力に劣る〔０〕
【００４８】
丁寧さ
ａ  相手に対する思いやりがある〔１〕
ｂ  気遣いができる〔０．７５〕
ｃ  思いやりはある〔０．５〕
ｄ  気遣いができない〔０．２５〕
ｅ  相手に対する思いやりに欠ける〔０〕
【００４９】
＜Ｂ＞住居状況
持家（戸建  マンション）、借家(アパート  マンション  戸建)の種別と居住歴を記入。
ａ  持家１０年以上(生活基盤が安定しており地域に馴染んでいる)〔１〕
ｂ  持家３年以上  借家５年以上(生活基盤が安定しつつある)〔０．７５〕
ｃ  持家３年未満  借家５年未満〔０．５〕
ｄ  借家１〜３年未満(生活基盤は未完成)〔０．２５〕
ｅ  借家１年未満(生活基盤と信用性が不安定)〔０〕
【００５０】
近隣者氏名、管理会社名称、家主氏名、近隣交際状況
ａ  記載あり、交流あり〔１〕
ｂ  記載あり、交流なし〔０．５〕
ｃ  記載なし〔０〕
【００５１】
問２．学業に関する事項
＜Ａ＞最終学歴および卒業学校について
学校名、所在地、入学年月、留年退学中退年月日、卒業年月、学部、教授・先生名、成績（上(高低)、中(高低)、下(高低)）、所属クラブ、友人名などを記入。さらに、卒業した小学校、中学校、高等学校、専門学校、大学のそれぞれについて、校名と所在地を記入する。
ａ  院卒（経済的にも恵まれた家庭環境、根気もあり、集中力あり、持続性もあり）〔２〕
ｂ  大学卒業（協調的である、自尊心もある）〔１．５〕
ｃ  高等学校卒業  専門学校卒業（独立心が強い、親孝行、進学意欲能力はなく、経済的事情）〔１〕
ｄ  中学校卒業（経済的に恵まれない家庭環境、勉強嫌い、能力不足、他に目的があった）〔０．５〕
ｅ  中退（経済的事情、トラブルを起こし、自発的に、嫌気がさして、適正なしと悟り、あっさりと思い切りよく、未練なく）〔０〕
【００５２】
問３．現職場についての事項
現職場について勤務先名、勤務先所在地、勤務先電話番号、最終所属部署名、資本金、従業員数、勤務先の目的、
所属部署の目的、在職期間、入社の経緯、勤務時間、残業時間、会社への貢献度（上(高低)、中(高低)、下(高低)）、実績の自己評価（上(高低)、中(高低)、下(高  低)）、所属部署の人数と平均年齢、労働組合の有無及び形態、役員の氏名年齢と略歴、役員の氏名年齢と略歴、役員の氏名年齢と略歴、現在の問題点などを記入。
ａ  在職先の数値と職務を正確に把握している〔２〕
ｂ  在職先を把握している〔１．５〕
ｃ在職先の基本的知識はある〔１〕
ｄ  在職先の認識度が低い〔０．５〕
ｅ  所属意識が低く自覚に欠ける、未記入〔０〕
【００５３】
問４．前職場についての事項
前職場について勤務先名、勤務先所在地、勤務先電話番号、最終所属部署名、資本金、従業員数、勤務先の目的、会社への貢献度（上(高低)、中(高  低)、下(高低)）、実績の自己評価（上(高低)、中(高低)、下(高低)）、所属部署の目的、在職期間、入社の経緯、勤務時間、残業時間、所属部署の人数と平均年齢、労働組合の有無及び形態、退職時の年収、退職事由、同僚氏名、上司氏名、在職中の楽しかった思い出話、在職中の苦しかった思い出話を記入。
ａ  勤勉で職務能力が高い〔２〕
ｂ  勤勉で能力もある〔１．５〕
ｃ  勤勉だが能力に乏しい、能力はあるが勤勉さに乏しい〔１〕
ｄ  勤勉さに欠け能力も低い〔０．５〕
ｅ勤労意欲能力に欠ける、未記入〔０〕
【００５４】
問５．自身の今まで一番印象的な出来事
自身の今まで一番印象的な出来事について、何時、何処で、誰と誰が、何故、どの様にして、何を、如何した、という形式で記載する。
ａ  発想が豊かで文書力もある〔１〕
ｂ  文書力もある〔０．７５〕
ｃ  文章が書ける〔０．５〕
ｄ  文書力に欠ける〔０．２５〕
ｅ  発想も文書力も貧弱である〔０〕
【００５５】
問６．運営管理しているホームページおよびブログに関する事項
＜Ａ＞ホームページのアドレス、目的及び内容を記入する。
ａ  企画力も旺盛である〔１〕
ｂ  企画力はある〔０．５〕
ｃ  なし〔０〕
＜Ｂ＞ブログのアドレス、目的及び内容おｗ記入する。
ａ  開放的で自己表現力に長ける〔１〕
ｂ  表現力はある〔０．５〕
ｃ  なし〔０〕
【００５６】
問７．資格、免許に関する事項
資格や免許の取得状況および特技、趣味、得意な運動、車両運転時の性格(自己分析)について記載する。
ａ  ３つ資格以上の国家資格(向上心が旺盛な努力家で能力も優れている)〔２〕
ｂ  ２つの国家資格(努力家で向上心のある)〔１．５〕
ｃ  普通自動車免許１種免許（能力に遜色はない）〔０．５〕
ｄ  なし〔０〕
【００５７】
問８．健康についての事項（直接の採点対象ではない）
現在通院している病院と受診科名および過去の病歴を記入する。
問９．心理的状況について（作文）（直接の採点対象ではない）
例に倣って自身の事についての文章を作成する。
例「私は空のように・・・知らない誰かにほっとする一時を与えたい。」
{１}私は父のように・・・
{２}私は母のように・・・
{３}私は兄弟が・・・
{４}私は姉妹が・・・
{５}私の祖父母は・・・
{６}私の成育時における家庭環境は・・・
【００５８】
この筆記調査の結果、第３段階として、例えば次のような評価がなされる。
「丁寧で判りやくい  几帳面で注意力がある  記憶能力が高い。方向感覚が的確、創造性が優れている  総合的把握能力に優れる。相手に対する思いやりがある。生活基盤が安定しており地域に馴染んでいる。正確で従順であり記憶能力が高い。在職先の数値と職務を正確に把握している。勤勉で職務能力が高い。発想が豊かで文書力もある。企画力も旺盛である。開放的で自己表現力に長け。向上心が旺盛な努力家で能力も優れている。几帳面で注意力があり実践的である。方向感覚が的確で発案企画能力が高く総合的把握能力に優れる。相手に対する思いやりがあり記憶能力が高く定着性が高い。正確で従順さがあり発想が豊かで文書力もある。企画力も旺盛で独創的でもある。２５点」
【００５９】
[４]現地踏査（５０点満点）
以上の［１］電話調査、［２］面談調査、［３］筆記調査の結果を踏まえ、これらの事実を確認して認証するために以下のような［４］現地踏査が行われ、本人の申告が正しいか否かの確認をする。
【００６０】
（１）経歴
学歴、職歴についての確認をする。
ａ  申告との相違点はない〔５〕
ｂ  年度に若干の相違がある〔４〕
ｃ  年度に大幅な相違が有る〔３〕
ｄ  故意に記載しない時期がある〔２〕
ｅ  詐称の可能性がある〔１〕
ｆ  経歴詐称〔０〕
【００６１】
（２）住所地
住所地に関する事項を確認する。
＜１＞電話帳の登録事実
ａ  本人名で掲載があり使用されている〔１〕
ｂ  家族名で掲載されており使用されている〔０．７５〕
ｃ  非掲載だが本人家族が使用している〔０．５〕
ｄ  非掲載で使用世帯名が不明〔０．２５〕
ｅ  非掲載で使用事実がない〔０〕
【００６２】
＜２＞地図の正確性と判り易さ
ａ  目標物を的確に捉え、丁寧に書かれ容易に行き着ける〔１〕
ｂ  ポイントを押さえて書かれており行着ける〔０．７５〕
ｃ  何とか行着ける〔０．５〕
ｄ  ポイントがなく判り難く迷った〔０．２５〕
ｅ  目的地に行着けない〔０〕
【００６３】
＜３＞本人居住確認
ａ  名前も容姿も知られ見かけられている〔１〕
ｂ  名前と容姿は知られている〔０．７５〕
ｃ  家族関係の中では認識されている〔０．５〕
ｄ確認不可能だが居住している可能性はある〔０．２５〕
ｅ  確認不可能で居住の可能性はない〔０〕
【００６４】
＜４＞表札の有無
ａ  家族全員の氏名が表示〔１〕
ｂ  世帯主のフルネームが表示〔０．７５〕
ｃ  姓の未表示〔０．５〕
ｄ  イニシャルのみ表示〔０．２５〕
ｅ  表示無し〔０〕
【００６５】
＜５＞地域環境
住宅密集地  閑静な住宅地  長閑な住宅地  高級住宅地  集合住宅地  公営住宅地  商業地  繁華街  農村  漁村
＜６＞建物の面積等
＜７＞建物外観
木造平屋建  木造２階建  鉄骨３階建て  鉄筋４階建  中層アパート  高層マンション
【００６６】
＜８＞住居状況    持家（戸建  マンション）  借家(アパート  マンション  戸建)
居住歴
ａ  持家１０年以上(生活基盤が安定しており地域に馴染んでいる)〔１〕
ｂ  持家３年以上  借家５年以上(生活基盤が安定しつつある)〔０．７５〕
ｃ  持家３年未満  借家５年未満〔０．５〕
ｄ  借家１〜３年未満(生活基盤は未完成)〔０．２５〕
ｅ  借家１年未満(生活基盤と信用性が不安定)〔０〕
居住暦については、収入年齢や＜Ｆ＞＜Ｇ＞などの項目とのバランス（分相応であるか否か）が勘案され、あまりにも不自然な場合には、減点されることもある。
【００６７】
＜９＞清掃状況
ａ  整理整頓され手入れが行き届いている〔１〕
ｂ  整理整頓されている〔０．７５〕
ｃ  清掃されている〔０．５〕
ｄ  やや汚い〔０．２５〕
ｅ  汚い〔０〕
【００６８】
＜１０＞電気メータの状況
ａ  正常に回転している〔１〕
ｂ  ゆっくり回転している〔０．７５〕
ｃ  確認不能〔０．５〕
ｄ  殆ど動かない〔０．２５〕
ｅ  停止されている〔０〕
【００６９】
＜１１＞郵便受の状況
ａ  １投函物がなく氏名が表示〔１〕
ｂ  投函物はチラシ程度で氏名が表示〔０．７５〕
ｃ  家族宛郵便物は投函されており姓の表示はある〔０．５〕
ｄ  家族宛郵便物等が多数投函されイニシャルのみ表示〔０．２５〕
ｅ  郵便物が満杯で表示無し〔０〕
【００７０】
＜１２＞近隣者氏名、表札の有無
殆ど表示されている  表示世帯は半数以上  表示世帯は半数  表示世帯は半数以下  殆ど表紙されていない
＜１３＞管理会社名等
掲示で判明  取材で判明  本人申告通り  確認不能  不明
＜１４＞家主名等
取材で判明  登記簿確認の必要あり  本人申告通り  確認不能  不明
【００７１】
＜１５＞印象
ａ  明朗〔１〕
ｂ  穏やか〔０．７５〕
ｃ  温和〔０．５〕
ｄ  やや暗い〔０．２５〕
ｅ  陰気〔０〕
【００７２】
＜１６＞挨拶の状況
ａ  必ずする〔１〕
ｂ  する〔０．７５〕
ｃ  しない事もある〔０．５〕
ｄ  殆どしない〔０．２５〕
ｅ  しない〔０〕
【００７３】
＜１７＞近隣付き合いの風潮
ａ  円満で活発〔１〕
ｂ  円満〔０．７５〕
ｃ  表面的〔０．５〕
ｄ  殆どしない〔０．２５〕
ｅ  無関心〔０〕
【００７４】
＜１８＞近隣者の生活レベル
ａ  経済的にも知的にも高い〔１〕
ｂ  経済的には高い〔０．７５〕
ｃ  中流である〔０．５〕
ｄ  経済的には低い〔０．２５〕
ｅ  貧困層〔０〕
【００７５】
＜１９＞性格評
＜２０＞日常の動向
ａ  良く判る〔１〕
ｂ  家族を通じて判る〔０．７５〕
ｃ  目立たない〔０．５〕
ｄ  殆ど判らない〔０．２５〕
ｅ  判らない〔０〕
【００７６】
＜２１＞日常の服装
ａ  センスも良くキチンとしている〔１〕
ｂ  キチンとしている〔０．７５〕
ｃ  だらしのない格好はしない〔０．５〕
ｄ  殆ど判らない〔０．２５〕
ｅ  見かけない〔０〕
【００７７】
＜２２＞休日の動向
在宅して家事を行っている  外出が多い  殆ど家にいる  不明
＜２３＞来訪者
ａ  家族に来訪が多い〔１〕
ｂ  友人同僚の来訪ある〔０．７５〕
ｃ  不特定の異性の来訪が多い〔０．５〕
ｄ  殆どない〔０．２５〕
ｅ  金融関係者の来訪がある〔０〕
【００７８】
＜２４＞生活音、臭
ａ  気にかけて生活している〔１〕
ｂ  常識的範囲である〔０．７５〕
ｃ  普通に聞こえる〔０．５〕
ｄ  やや非常識である〔０．２５〕
ｅ  非常識である〔０〕
【００７９】
＜２５＞洗濯頻度
ａ  本人が毎日している〔１〕
ｂ  家族が毎日している〔０．７５〕
ｃ  定期的にしている〔０．５〕
ｄ  殆どしない〔０．２５〕
ｅ  しない〔０〕
【００８０】
＜２６＞家賃等の支払状況
ａ  遅れた事はなく完納〔１〕
ｂ  遅れた事はあるが完納〔０．７５〕
ｃ  必ず遅れるが完納〔０．５〕
ｄ  １ヶ月未納〔０．２５〕
ｅ  １ヶ月以上未納〔０〕
【００８１】
＜２７＞生活相応感
ａ  質素堅実である〔１〕
ｂ  堅実である〔０．７５〕
ｃ  相応の生活振り〔０．５〕
ｄ  派手である〔０．２５〕
ｅ  異常である〔０〕
【００８２】
＜２８＞経済的状況
ａ  収入資産もあり裕福である〔１〕
ｂ  収入もあり豊である〔０．７５〕
ｃ  安定している〔０．５〕
ｄ  やや貧しい〔０．２５〕
ｅ  貧窮している〔０〕
【００８３】
＜２９＞家庭の生計の基
ａ  不動産賃貸収入〔１〕
ｂ  預金・投資収入〔０．７５〕
ｃ  勤労収入〔０．５〕
ｄ  年金収入〔０．２５〕
ｅ  借金〔０〕
【００８４】
＜３０＞入居の経緯
家族知人の紹介  新聞広告  街頭宣伝
＜３１＞購読紙
朝日  読売  毎日  サンケイ  日経  聖教  赤旗
＜３２＞飲酒
毎日晩酌を欠かさない  付き合い程度  殆ど飲まない  アレルギーのため飲まない  酒乱のため断酒
【００８５】
＜３３＞喫煙
毎日２０本以上  毎日２０本以下  毎日は吸わない  吸った事がない  禁煙中
＜３４＞賭け事
毎週行う  大きなレースのみ行う  殆どしない  しない  した事がない  止めた
【００８６】
＜３５＞趣味
室内系（将棋、トランプ、手品、碁、マージャン、生花、フラワーアレンジメントなど）  室外系（釣りなど）
＜３６＞スポーツ
室内系（卓球など）  室外系（野球、サッカー、散歩など）
＜３７＞動物の飼養
常時動物を室内で飼養している  常時動物を室外で飼養している  動物は以前飼養していた  動物の飼養はした事がない  動物は嫌いである
【００８７】
＜３８＞家族との不和
ａ  ない〔１〕
ｂ  聞いた事はない〔０．７５〕
ｃ  殆ど聞いた事はない〔０．５〕
ｄ  口論程度はある〔０．２５〕
ｅ  喧嘩口論は日常茶飯事である〔０〕
【００８８】
＜３９＞近隣との不和
ａ  ない〔１〕
ｂ  殆どない〔０．７５〕
ｃ  以前はあったが和解した〔０．５〕
ｄ  感情的問題がある〔０．２５〕
ｅ  地境等利害関係で根深い〔０〕
【００８９】
＜４０＞地域活動
ａ  自治会活動や集団清掃活動にも積極的に参加〔１〕
ｂ  自治会活動や集団清掃活動に参加する事もある〔０．７５〕
ｃ  家族は自治会活動や集団清掃活動にも積極的に参加〔０．５〕
ｄ  本人家族共に協力的ではない〔０．２５〕
ｅ  本人家族とも自治会活動や集団清掃活動は無視〔０〕
【００９０】
＜４１＞健康
ａ  既往症、現症もなく健康状態は良好である〔１〕
ｂ  現症もなく健康体である〔０．７５〕
ｃ  健康の不安要因は認められない〔０．５〕
ｄ  虚弱体質で健康不安はある〔０．２５〕
ｅ  健康を害している〔０〕
【００９１】
＜４２＞政党ポスター掲示有無
常時特定政党の掲示物がある  常時多数の不特定政党の掲示物がある  時々特定政党の掲示物がある  時々不特定政党の掲示物がある  掲示物があった事はない
＜４３＞選挙時の状況
立候補者の応援に積極的である  立候補者の応援を頼まれてした事がある  選挙活動を行った事実はない  選挙には無関心である
【００９２】
＜４４＞信仰宗教
ａ  家宗を積極的に信仰している〔１〕
ｂ  家宗のみを先祖供養の範囲で信仰している〔０．７５〕
ｃ  無宗教である〔０．５〕
ｄ  新興宗教を信仰している〔０．２５〕
ｅ  新興宗教を積極的に信仰している  〔０〕
【００９３】
＜４５＞各種勧誘活動
積極的に行っている  行った事実はある  行ったことはない
＜４６＞自宅不動産
謄本確認  謄本見確認
＜４７＞その他
癖  あだ名  嗜好  薬物  家庭内
【００９４】
（３）学業事項
＜Ａ＞最終学校
学校名  所在地  入学年月  卒業年月  学部  卒業確認
ａ  学校側の協力で確認した〔５〕
ｂ  近隣及び勤務先での取材で確認〔４〕
ｃ  本人申告の状況等から判断〔３〕
ｄ  判断基準はない〔２〕
ｅ  確認不能〔１〕
ｆ  卒業事実なし〔０〕
【００９５】
（４）勤務先事項
＜Ａ＞現勤務先
勤務先名  勤務先所在地  勤務先電話番号  最終所属部署名  資本金  従業員数  勤務先の目的  所属部署の目的  在職確認
ａ  勤務先側の協力で確認した〔５〕
ｂ  近隣及び勤務先で本人を呼び出し確認〔４〕
ｃ  本人申告の状況等から判断〔３〕
ｄ  直通電話不明の為判断基準がない〔２〕
ｅ  確認不能〔１〕
ｆ  在籍事実なし〔０〕
【００９６】
＜Ｂ＞前勤務先（筆記調査の各申告と合致の場合１点  上限１０点）
勤務先名、勤務先所在地、勤務先電話番号、最終所属部署名、資本金、従業員数、勤務先の目的、所属部署の目的、在職期間、入社の経緯、入社時の身元保証人、勤務時間、残業時間、所属部署の人数と平均年齢、退職時の年収、労働組合の有無、労働組合形態、労働組合役員歴、労働組合上部団体と最近の争議、本人へのアドバイス
【００９７】
これらの他、下記の事項については次のとおりの採点がなされる。
勤務態度
ａ  欠勤遅刻なく休暇の申請も殆どなし〔１〕
ｂ  欠勤遅刻はない〔０．７５〕
ｃ  欠勤遅刻は殆どない〔０．５〕
ｄ  やや欠勤遅刻が目立った〔０．２５〕
ｅ  無断欠勤や遅刻が多かった〔０〕
【００９８】
能力評価
ａ  高い〔１〕
ｂ  標準以上〔０．７５〕
ｃ  標準〔０．５〕
ｄ  標準以下〔０．２５〕
ｅ  低い〔０〕
【００９９】
人物社内評価
協調性、社交性に富み勤勉〔１〕
協調的で勤勉〔０．７５〕
勤勉〔０．５〕
協調性がなく孤立〔０．２５〕
非協調的な変人〔０〕
【０１００】
退職事由
ａ  定年依願退職〔３〕
ｂ  勧奨諭旨退職〔２〕
ｃ  解雇予告退職〔１〕
ｄ  懲戒解雇〔０〕
【０１０１】
次に、本発明の個人情報の認定認証プログラムについて具体的に説明する。
本発明の個人情報の認定認証プログラムは、前記[１]電話調査、[２]面接調査および[３]筆記調査により個人から得られた印象情報と申告情報からなる規定の認定情報を入力する認定情報入力手段１と、前記認定情報に基づいて現地踏査を行い、これらの情報を認証情報として入力する認証情報入力手段２と、前記認定情報を規定の基準と比較するとともに、前記認証情報と認定情報を比較し、かつ規定の基準と比較する比較手段３と、この比較手段の比較結果に基づいて採点する採点手段４とを有する。記憶手段６には、前記規定の基準が記憶されるとともに、採点手段４による採点結果が記憶される。
【０１０２】
さらに、前記採点手段４の採点結果に基づいて個人の認定認証情報を報告書として規定の基準によって作成し文章化して出力する報告書作成手段５を有し、この報告書作成手段５で作成された報告書の内容は、前記記憶手段６に記憶される。
さらに報告書が調査機関から発行されたことの証明を行う証明手段７を有する。
【０１０３】
以上のような構成において、各調査で得られた印象情報および申告情報を入力手段１から入力し、入力された情報と規定の基準とを比較手段３で比較し、この比較結果に基づいて筆記調査までの採点が採点手段４によりなされる。ここまでの段階を個人情報の認定と呼ぶ。
また、前記申告情報に基づいて現地踏査を行い、申告情報の真偽や正確さを調査し、この調査結果に基づく認証情報を入力手段２から入力し、この入力された認証情報と前記認定情報と規定の基準とを比較手段３で比較し、この比較結果に基づいて最終的な採点が採点手段４によりなされ、認定認証情報が得られる。
【０１０４】
ここで、初めの筆記調査までの情報により採点された認定結果は、現地踏査による真偽や正確さによって減点される場合がある。
この最終的な採点結果に従って、報告書作成手段５が規定の基準に従って報告書を作成し文章化して出力され、この最終的な報告書を作成・出力する段階を認定認証と呼ぶ。
【０１０５】
最終的に出力された認定認証報告書は応募者が企業に提出し、提出を受けた企業はその報告書が、調査機関から発行されたものであることの確認・証明を要請することができる。このような確認・証明の要請があった場合、証明手段７が認定認証報告書の内容を証明する。
【０１０６】
最終的な報告書は、例えば以下のように出力される。
なお、以下の報告書の態様は、報告書の文字による内容だけであって、実際には体裁が整えられる。
個人情報認定認証報告書
被認定認証者
氏名      日本  太郎
性別      男
生年月日  昭和４０年１月１日
現住所    東京都千代田区・・・・・
現住所電話番号  ０３−・・・・−・・
最終学歴  △△大学
最終職歴  ○○株式会社
調  査  総  評
丁寧で感じが良く品があり、対応も計画的で手際がよく時間の使い方が上手。服装は、立場をわきまえ意欲がうかがえ、センスが良い。外見的には、顔色も良く艶もあり健康的である。挨拶の形が美しく、声もはっきりと笑顔である。計画的で時間観念も強く相手の立場を熟慮している。
―――改頁―――
【０１０７】
１．認定結果（満点５０点    本人結果  ４８点）
（１）電話での対応
計画的で手際が良く時間の使い方が上手〔１〕。暖かく親しみをかんじる〔１〕。歯切れが良く聞き取り易い〔１〕。元気があり健康的である〔１〕。丁寧で感じよく品がある〔１〕。気配りがよく事務経験がある〔１〕。記憶力が良く本質を理解できる〔１〕
。頭の回転が速い〔１〕。慎重さがあり正確、誠実で落ち着きがある〔１〕。
（２）面談時の状況
立場をわきまえ意欲がうかがえる〔１〕。凛々しく清潔感がある〔１〕。均整の取れたスポーツマンタイプ〔１〕。顔色も良く艶もあり健康的である〔１〕。挨拶の形が美しく、声もはっきりと笑顔である。計画的で時間観念も強く相手の立場を熟慮している。常識的で〔１〕。真面目〔１〕。注意力旺盛〔１〕。落ち着きがある〔１〕。きれい好きで几帳面〔１〕。正直な善人〔１〕。
（３）申請内容
文字が丁寧で判りやすい〔１〕。几帳面で注意力がある〔１〕。記憶能力が高い〔１〕。創造性が優れている。〔１〕。総合把握能力に優れている〔１〕。相手に対する思いやりがある〔１〕。持ち家１０年以上で生活基盤が安定しており地域に馴染んでいる〔１〕。正確で従順であり記憶能力が高い〔１〕。大学卒業で協調的であるが自尊信もある〔１〕。在職咲きの数値と職務を正確に把握している〔１〕。勤勉で職務能力が高い〔１〕。発想が豊かで文書力もある〔１〕。企画力も旺盛である〔１〕。
開放的で自己表現力に長ける〔１〕。３つ以上の国家資格を持ち向上心が旺盛な努力家で能力も優れている〔１〕。
―――改頁―――
【０１０８】
２．認証結果（満点５０点    本人結果  ４５点）
一．経歴
（１）学歴
卒業小学校及び年度
卒業中学校と年度
高等学校と年度
大学校と年度
大学院と年度
（２）職歴
勤務先と年度１
勤務先と年度２
（３）申告との相違点
申告との相違点
（４）資格・特殊技能（本人の申告による）
資格・特殊技術
【０１０９】
二．性格素行及び健康状態
誠実で落着きがある〔１〕。計画的で手際が良く時間の使い方が上手〔１〕。注意力旺盛〔１〕で、落着きがある〔１〕。創造性が優れている〔１〕。社交的で積極的。立場をわきまえ意欲がうかがえる〔１〕。凛々しく清潔感があり〔１〕、キチンとしている〔０．７５〕。挨拶は、形が美しく〔１〕笑顔で出来る〔１〕。日常の動向は良く判り〔１〕、休日の動向は外出が多い。友人同僚の来訪ある〔０．７５〕。家賃等の支払は、遅れた事はなく完納している〔１〕。飲酒は付き合い程度。堅実である〔０．７５〕。禁煙中。賭け事は殆どしない。散歩。動物の飼養はした事がない。家族との不和はない〔１〕。元気があり健康的である〔１〕。均整の取れたスポーツマンタイプ〔１〕で、顔色も良く艶もあり健康的〔１〕である。健康の不安要因は認められない〔０．５〕。
【０１１０】
三．学校事項
学校名
所在地
入学年月
卒業年月
学部
確認状況
【０１１１】
四．現勤務先事項
勤務先名
勤務先所在地
勤務先電話番号
最終所属部署名
資本金
従業員数
確認状況
【０１１２】
五．前勤務先
勤務先名
勤務先所在地
勤務先電話番号
最終所属部署名
資本金
従業員数
勤務状況等
退職事由
本人へのアドバイス"
【０１１３】
六．家族及び生活事項
住所地
現住所
最寄線
最寄り駅
徒歩          分
○○行バス    △△停留所
【０１１４】
電話帳の登録は、事実非掲載だが本人家族が使用している〔０．５〕。記載地図は、目標物を的確に捉え、丁寧に書かれ容易に行き着ける〔１〕。名前も容姿も知られ見かけられている〔１〕。表札にも家族全員の氏名が表示されている〔１〕。付近は、閑静な住宅地で、住居は約３０坪の鉄筋３階建、持家１０年以上(生活基盤が安定しており地域に馴染んでいる)〔１〕。整理整頓され手入れが行き届いている〔１〕。正常に回転している〔１〕。投函物がなく氏名が表示〔１〕され近隣者の表札も殆ど表示されている。管理会社は都市整備公社。取材で判明。明朗〔１〕で挨拶は必ずする〔１〕。円満で活発〔１〕であり近隣者の生活レベルは経済的にも知的にも高い〔１〕。社交的で積極的と評され日常の行動も良く判る〔１〕。きちん〔０．７５〕としており、休日には外出が多い。来訪者は、友人同僚の来訪ある〔０．７５〕。生活臭や漏出音は、常識的範囲である〔０．７５〕。洗濯は、家族が毎日している〔０．７５〕。家賃等の支払いは、遅れた事はなく完納している〔１〕。生活ぶりは、堅実であり〔０．７５〕、収入もあり豊である〔０．７５〕。生計は、勤労収入〔１〕で賄われており、家族との不和はなく〔１〕、近隣との不和もない〔１〕
【０１１５】
７、その他参考事項
上半身写真  撮影年月日
持参証明書写真  撮影年月日
現住所  住所地  撮影年月日
【図面の簡単な説明】
【０１１６】
【図１】本発明による個人認証プログラムのブロック図である。
【図２】本発明の前提となる個人認証方法のブロック図である。
【符号の説明】
【０１１７】
１…認定情報入力手段、２…認証情報入力手段、３…比較手段、４…採点手段、５…報告書作成手段、６…記憶手段、７…証明手段。
【図１】
2009015601.tif 000003
【図２】
2009015601.tif 000004